(57)【要約】【課題】プッシュプッシュ式の操作装置において、操作部材の移動方向の製品サイズの縮小化を可能とする。【解決手段】プッシュプッシュ式の操作装置において、ベース部材１のインシュレータ３に第１のカム溝２２と第２のカム溝２５を設ける。操作部材４のホルダ６にロックピン３０を取り付ける。ロックピン３０は、操作部材４の移動方向（矢印Ａ１，Ａ２方向）に対して直交する矢印Ｂ方向に延び、かつその延び方向にスライド可能に配置した。ロックピン３０は、操作部材４の移動に伴い両端部の先端部３１ａ，３２ａが第１および第２のカム溝２２，２５を摺動する。【選択図】図４
2012221571.tif 000002
【特許請求の範囲】
【請求項１】
ベース部材と、
このベース部材に押圧方向およびこの押圧方向とは反対方向へ往復移動可能に設けられ、復帰用付勢手段により前記押圧方向とは反対方向へ付勢された操作部材と、
前記ベース部材および前記操作部材のうちの一方の部材に設けられ、Ｖ字状をなす係合部を有するハート型のカム溝と、
前記ベース部材および前記操作部材のうち前記カム溝が設けられた部材とは反対側の部材に取り付けられ、前記操作部材の移動に基づき先端部が前記カム溝を摺動するとともに前記係合部に対して係脱するロックピンと、を備え、
前記操作部材が前記押圧方向とは反対方向の原位置に位置された状態から１回押圧操作されることに伴い前記ロックピンの先端部が前記カム溝の前記係合部に係合することで前記操作部材が押込み位置にロックされ、前記押込み位置にロックされた前記操作部材が再度押圧操作されることに伴い前記係合部に対する前記ロックピンの先端部の係合が解除されて前記操作部材が前記原位置に復帰される構成の操作装置であって、
前記ロックピンは、前記操作部材の移動方向に対して交差する方向に延び、かつその延び方向に沿ってスライド可能に配置されていることを特徴とする操作装置。
【請求項２】
前記カム溝は、前記ロックピンのスライド方向に並んで２箇所に設けられ、
前記ロックピンは、前記スライド方向の両端部の先端部が、前記操作部材の移動に基づき前記２箇所のカム溝をそれぞれ摺動することを特徴とする請求項１記載の操作装置。
【発明の詳細な説明】
【技術分野】
【０００１】
本発明は、いわゆるプッシュプッシュ式の操作装置に関する。
【背景技術】
【０００２】
プッシュプッシュ式の操作装置、例えばプッシュプッシュ式のスイッチ装置においては、固定側のベース部材（ケース）と可動側の操作部材（操作子）との間に、操作部材を選択的に押込み位置にロックするためのロック機構が設けられている（例えば、特許文献１参照）。このロック機構は、ベース部材側に設けられＶ字状の係合部を有するハート型のカム溝と、操作部材に取り付けられ当該操作部材の移動に基づき先端部の係止部が前記カム溝を摺動するロックピンとから構成されている。このスイッチ装置において、操作部材は復帰用付勢手段である圧縮コイルばねにより原位置方向に付勢されていて、原位置に位置された操作部材を１回押圧操作すると、ロックピンの係止部がカム溝を摺動して係合部に係合することで操作部材が押込み位置にロックされ、操作部材を再度押圧操作すると、係合部に対する前記係止部の係合が解除されて操作部材は原位置に復帰移動される構成となっている。
【先行技術文献】
【特許文献】
【０００３】
【特許文献１】実開平５−１７８７１号公報
【発明の概要】
【発明が解決しようとする課題】
【０００４】
従来のスイッチ装置におけるロック機構においては、ロックピンの腕は、操作部材の移動方向に沿って長く延びているのが一般的である。このため、操作装置（スイッチ装置）において、そのロックピンの腕の長さが、製品の長さ寸法に影響を及ぼしており、その方向（操作部材の移動方向）の製品サイズが大きくなってしまうという課題がある。
【０００５】
本発明は上記した事情に鑑みてなされたものであり、その目的は、プッシュプッシュ式の操作装置において、操作部材の移動方向の製品サイズの縮小化が可能な操作装置を提供することにある。
【課題を解決するための手段】
【０００６】
上記した目的を達成するために、本発明の操作装置は、
ベース部材と、
このベース部材に押圧方向およびこの押圧方向とは反対方向へ往復移動可能に設けられ、復帰用付勢手段により前記押圧方向とは反対方向へ付勢された操作部材と、
前記ベース部材および前記操作部材のうちの一方の部材に設けられ、Ｖ字状をなす係合部を有するハート型のカム溝と、
前記ベース部材および前記操作部材のうち前記カム溝が設けられた部材とは反対側の部材に取り付けられ、前記操作部材の移動に基づき先端部が前記カム溝を摺動するとともに前記係合部に対して係脱するロックピンと、を備え、
前記操作部材が前記押圧方向とは反対方向の原位置に位置された状態から１回押圧操作されることに伴い前記ロックピンの先端部が前記カム溝の前記係合部に係合することで前記操作部材が押込み位置にロックされ、前記押込み位置にロックされた前記操作部材が再度押圧操作されることに伴い前記係合部に対する前記ロックピンの先端部の係合が解除されて前記操作部材が前記原位置に復帰される構成のものであって、
前記ロックピンは、前記操作部材の移動方向に対して交差する方向に延び、かつその延び方向に沿ってスライド可能に配置されていることを特徴とする。
【発明の効果】
【０００７】
本発明によれば、ロックピンは、操作部材の移動方向に対して交差する方向に延び、かつその延び方向に沿ってスライド可能に配置されているので、ロックピンの腕が操作部材の移動方向に延びているものとは違い、操作部材の移動方向の製品サイズの縮小化が可能となる。
【図面の簡単な説明】
【０００８】
【図１】本発明の一実施形態を示すスイッチ装置（操作装置）の分解斜視図
【図２】操作部材が原位置に位置された状態でのスイッチ装置を示すもので、（ａ）は正面図、（ｂ）は右側面図、（ｃ）は平面図
【図３】図２（ｂ）のＸ１−Ｘ１線に沿う縦断正面図
【図４】図２（ａ）のＸ２−Ｘ２線に沿う縦断左側面図
【図５】図３のＸ３−Ｘ３線に沿う縦断右側面図
【図６】ベース部材のうちのインシュレータ単体を示すもので、（ａ）は正面図、（ｂ）は左側面図、（ｃ）は平面図
【図７】操作部材のうちのホルダ単体を示すもので、（ａ）は正面図、（ｂ）は右側面図、（ｃ）は平面図
【図８】（ａ）〜（ｄ）はロックピンの動きを説明する作用説明図
【発明を実施するための形態】
【０００９】
以下、本発明の操作装置をプッシュプッシュ式のスイッチ装置に適用した一実施形態について図面を参照して説明する。
まず、図１〜図５において、ベース部材１は、ボデー２とインシュレータ３とを組み合わせることによって構成されている。また、操作部材４は、ノブ５とホルダ６とを組み合わせることによって構成されている。これらボデー２、インシュレータ３、ノブ５およびホルダ６は、電気絶縁材、この場合電気絶縁性を有する合成樹脂により形成されている。
【００１０】
このうちボデー２は、矩形の筒状をなしていて、後部の上下両側に弾性変形可能な係合爪７を２個対向状態で有している（図２（ｂ）、図５参照）。インシュレータ３は、後部にコネクタ部８を有するとともに、このコネクタ部８の外側の上下に対向する２側面に係合凸部９を有していて、これら係合凸部９を前記係合爪７に係合させることによってボデー２に固定状態に取り付けられている。コネクタ部８の内部には、複数本の端子１０（図４参照）が設けられている。また、インシュレータ３には、前方に向けて突出する接続端子１１が複数本設けられている。これら接続端子１１には、プリント配線基板１２が取り付けられる。プリント配線基板１２は、これに形成された接続孔１３を接続端子１１に嵌合して半田付けすることにより取り付けられる。
【００１１】
インシュレータ３の内側の側面（図１において前部の左側の側面）の所定部位には、側方へ突出する一対の接点案内凸部１４（図３、図４、図６参照）が設けられている。これら一対の接点案内凸部１４は、前後方向に延びていて、対向する内側に一対の固定接点１５が設けられている。また、インシュレータ３において、一対の接点案内凸部１４の外側（図４、図６において上下の外側）に位置させて、第１のカム溝形成部１８と第２のカム溝形成部１９とが設けられている。
【００１２】
このうち第１のカム溝形成部１８には、図８（ａ）に示すように、Ｖ字状をなす係合部２０を有するハート型のカム凸部２１の周りにハート型のカム溝である第１のカム溝２２が形成されている。この第１のカム溝２２の底面に相当する部位には、後述するロックピン３０の一端部側の先端部３１ａが摺動する際に逆戻りしないようにするために、複数の段差部２４が形成されている。この第１のカム溝２２の構成については、従来のカム溝と同様であるので、詳細な説明は省略する。また、図８（ａ）に示すように、第２のカム溝形成部１９には、Ｖ字状をなす係合部２０を有するハート型のカム凸部２１の周りにハート型のカム溝である第２のカム溝２５が形成されている。この第２のカム溝２５の底面に相当する部位には、第１のカム溝２２のような段差部２４は形成されておらず、平坦面となっている。この第２のカム溝２５の底面に相当する部位には、後述するロックピン３０の他端部側の先端部３２ａが摺動するようになっている。
【００１３】
前記操作部材４におけるホルダ６は、前記ボデー２に後方から挿入され、そのボデー２から突出した当該ホルダ６の前端部に、前記ノブ５が、当該ホルダ６と一体に前後方向へ往復移動するように取着されている。したがって、操作部材４は、押圧方向である後方（図１の矢印Ａ１方向）およびこれとは反対方向である前方（図１の矢印Ａ２方向）へ往復移動可能に設けられている。ホルダ６とインシュレータ３との間には、圧縮コイルばね２７（図１、図５参照）が配設されている。この圧縮コイルばね２７は、ホルダ６ひいては操作部材４を押圧方向とは反対の前方（矢印Ａ２方向）へ付勢する復帰用付勢手段を構成している。
【００１４】
ホルダ６において、インシュレータ３の前記第１および第２のカム溝形成部１８，１９に対向する位置に位置させて、ロックピン収容溝２８（図１、図３、図５、図７参照）が形成されている。このロックピン収容溝２８は、操作部材４の移動方向に対して交差、この場合直交する上下方向（図１、図５の矢印Ｂ方向）に延びていて、このロックピン収容溝２８にロックピン３０が収容されている。
【００１５】
このロックピン３０は、図１に示すように金属製の線材により形成されたもので、長手方向の両端部に同方向へ向けて折曲された折曲部３１，３２を有するとともに、長手方向の中間部にＵ字状に折曲された中間折曲部３３を有し、全体としてＥ字状をなしていて、前記ロックピン収容溝２８に当該ロックピン収容溝２８の延び方向（矢印Ｂ方向）に沿ってスライド可能に収容されている。このロックピン３０は、ホルダ６に設けられた押圧突部３４（図３参照）により前記第１および第２のカム溝形成部１８，１９側に押されていて、一端部側の折曲部３１の先端部３１ａが第１のカム溝２２に摺動可能に当接するとともに、他端部側の折曲部３２の先端部３２ａが第２のカム溝２５に摺動可能に当接している。
【００１６】
ホルダ６において、ロックピン収容溝２８の前部側には、可動接点取付部３５（図５参照）が形成されていて、この可動接点取付部３５に可動接点３６が取り付けられている。この可動接点３６は、図１に示すようにコ字状をなしていて、両側の先端部に接点部３６ａを有している。可動接点３６の両接点部３６ａは、前記接点案内凸部１４の内面に沿って前後方向に摺動可能に当接していて、操作部材４の移動に伴い前記固定接点１５に対して接離する。一対の固定接点１５と可動接点３６により、スライド式のスイッチ要素３７（図４参照）を構成している。
【００１７】
次に上記構成の作用を説明する。
図２〜図５は、圧縮コイルばね２７の付勢力で前方へ付勢された操作部材４が原位置に位置された状態が示されている。この状態では、図８（ａ）に示すように、ホルダ６に取り付けられたロックピン３０における一端部の折曲部３１の先端部３１ａは、第１のカム溝２２においてカム凸部２１の前方に位置し、他端部の折曲部３２の先端部３２ａは、第２のカム溝２５においてカム凸部２１の前方に位置している。また、このとき、ホルダ６に取り付けられた可動接点３６の一対の接点部３６ａは、図４に示すように固定接点１５の前方に位置していて、当該固定接点１５から離間している。したがって、スイッチ要素３７はオフ状態である。
【００１８】
この状態からノブ５が後方へ押圧操作されると、操作部材４が後方（矢印Ａ１方向）へ移動する。これに伴い、ロックピン３０および可動接点３６も同方向へ移動する。このうち、ロックピン３０における一端部の折曲部３１の先端部３１ａは、図８（ｂ）の矢印Ｃ１で示すように第１のカム溝２２に沿って摺動し、カム凸部２１の後方まで移動する。また、ロックピン３０における他端部の折曲部３２の先端部３２ａも、折曲部３１の先端部３１ａの摺動に合わせて同図の矢印Ｃ１で示すように第２のカム溝２５に沿って摺動し、カム凸部２１の後方まで移動する。また、可動接点３６は、矢印Ａ１方向への移動に伴い、両接点部３６ａが一対の固定接点１５に接触し、スイッチ要素３７はオン状態となる。
【００１９】
そして、ノブ５に対する押圧力が解除されると、操作部材４は圧縮コイルばね２７の付勢力により前方（矢印Ａ２方向）へ移動する。これに伴い、ロックピン３０における一端部の折曲部３１の先端部３１ａは、図８（ｃ）の矢印Ｃ２で示すように第１のカム溝２２に沿って摺動し、カム凸部２１の係合部２０に係合する。また、ロックピン３０における他端部の折曲部３２の先端部３２ａも、折曲部３１の先端部３１ａの摺動に合わせて同図の矢印Ｃ２で示すように第２のカム溝２５に沿って摺動し、カム凸部２１の係合部２０に係合する。これらの係合により、操作部材４は押込み位置にロックされる。このとき、可動接点３６の両接点部３６ａは固定接点１５に接触した状態が維持され、スイッチ要素３７はオン状態が維持される。
【００２０】
次に、ノブ５が再度押圧操作されると、操作部材４が後方（矢印Ａ１方向）へ移動し、これに伴い、ロックピン３０および可動接点３６も同方向へ移動する。このうち、ロックピン３０における一端部の折曲部３１の先端部３１ａは、図８（ｄ）の矢印Ｃ３で示すように第１のカム溝２２に沿って摺動し、係合部２０に対する係合が解除され、カム凸部２１の後方まで移動する。また、ロックピン３０における他端部の折曲部３２の先端部３２ａも、折曲部３１の先端部３１ａの摺動に合わせて同図の矢印Ｃ３で示すように第２のカム溝２５に沿って摺動し、係合部２０に対する係合が解除され、カム凸部２１の後方まで移動する。また、可動接点３６は、矢印Ａ１方向へ移動するが、両接点部３６ａは一対の固定接点１５に接触したままで、スイッチ要素３７はオン状態のままである。
【００２１】
そして、ノブ５に対する押圧力が解除されると、操作部材４は圧縮コイルばね２７の付勢力により前方（矢印Ａ２方向）へ移動する。これに伴い、ロックピン３０における一端部の折曲部３１の先端部３１ａは、図８（ｄ）の矢印Ｃ４で示すように第１のカム溝２２に沿って摺動し、カム凸部２１の前方（図８（ａ）で示す位置）まで移動する。また、ロックピン３０における他端部の折曲部３２の先端部３２ａも、折曲部３１の先端部３１ａの摺動に合わせて同図の矢印Ｃ４で示すように第２のカム溝２５に沿って摺動し、カム凸部２１の前方（図８（ａ）で示す位置）まで移動する。これにより、操作部材４は原位置に復帰する。このとき、可動接点３６の両接点部３６ａは固定接点１５から離間し、スイッチ要素３７はオフ状態となる。
【００２２】
上記した実施形態によれば、ロックピン３０は、操作部材４の移動方向（矢印Ａ１方向および矢印Ａ２方向）に対して交差する方向（矢印Ｂ方向）に延び、かつその延び方向に沿ってスライド可能に配置されているので、ロックピンの腕が操作部材の移動方向に延びているものとは違い、操作部材４の移動方向の製品サイズの縮小化が可能となる。
【００２３】
また、カム溝（第１のカム溝２２と第２のカム溝２５）は、ロックピン３０のスライド方向（矢印Ｂ方向）に並んで２箇所に設けられ、ロックピン３０は、前記スライド方向の両端部の先端部３１ａ，３２ａが、操作部材４の移動に基づきそれら第１のカム溝２２と第２のカム溝２５をそれぞれ摺動する構成となっている。これにより、操作部材４が押込み位置にロックされた際に操作部材４が傾くことを防止でき、操作部材４およびロックピン３０の移動を安定化させることができる。
【００２４】
この場合、第２のカム溝２５にも第１のカム溝２２と同様に段差部２４を設けることも可能であるが、２つのカム溝で１個のロックピン３０を移動させると、ロックピン３０の移動不良が発生しやすいおそれがある。この点、２つのうちの一方の第２のカム溝２５には段差部２４を設けないようにし、段差部２４のある第１のカム溝２２によってロックピン３０を主体的に移動させ、第２のカム溝２５は、そのロックピン３０の移動を補助するようにすることで、ロックピン３０の移動を安定化させることができる。
【００２５】
本発明は上記した実施形態にのみ限定されるものではなく、次のように変形または拡張することができる。例えば、第１および第２のカム溝２２，２５とロックピン３０の配置を逆にし、第１および第２のカム溝２２，２５を可動側の操作部材４側に設け、ロックピン３０を固定側のベース部材１側に設けるようにしてもよい。また、本発明は、スイッチ要素３７のない操作装置にも適用できる。
【符号の説明】
【００２６】
図面中、１はベース部材、４は操作部材、１５は固定接点、２０は係合部、２１はカム凸部、２２は第１のカム溝（カム溝）、２４は段差部、２５は第２のカム溝（カム溝）、２７は圧縮コイルばね（復帰用付勢手段）、３０はロックピン、３１は折曲部、３１ａは先端部、３２は折曲部、３２ａは先端部、３６は可動接点、３７はスイッチ要素を示す。
【図１】
2012221571.tif 000003
【図２】
2012221571.tif 000004
【図３】
2012221571.tif 000005
【図４】
2012221571.tif 000006
【図５】
2012221571.tif 000007
【図６】
2012221571.tif 000008
【図７】
2012221571.tif 000009
【図８】
2012221571.tif 000010